(57)【要約】【課題】原稿が画像を第１面のみに有するか第２面のみに有するかに応じて、第１処理および第２処理を適切に行うことができる、処理装置、画像データ出力方法およびプログラムを提供する。【解決手段】第１面Ｄ１のみに画像を有する原稿が第１読取デバイスによって読み取られた場合には、その第１面Ｄ１から読み取られた画像データ、つまり原稿が第１面Ｄ１に有する画像に係る画像データを出力するための「処理１」が実行される。一方、第２面Ｄ２のみに画像を有する原稿が第２読取デバイスによって読み取られた場合には、その第２面Ｄ２から読み取られた画像データ、つまり原稿が第２面Ｄ２に有する画像に係る画像データを出力するための「処理２」が実行される。【選択図】図４
2020036111.tif 000002
【特許請求の範囲】
【請求項１】
原稿を搬送する搬送部と、
前記搬送部により搬送される前記原稿の第１面およびその反対側の第２面の両面を読み取る読取部と、
制御部と、を備え、
前記制御部は、
前記読取部による前記原稿の読取結果から、前記原稿が前記第１面のみに画像を有するか第２面のみに画像を有するかを判断する判断処理を実行し、
前記判断処理で前記原稿が前記第１面のみに画像を有すると判断した場合、前記読取部により前記第１面から読み取られた画像データについて、前記画像データを第１方式で出力する第１出力処理を実行し、
前記判断処理で前記原稿が前記第２面のみに画像を有すると判断した場合、前記読取部により前記第２面から読み取られた画像データについて、前記画像データを前記第１方式とは異なる第２方式で出力する第２出力処理を実行する、処理装置。
【請求項２】
請求項１に記載の処理装置であって、
画像データに係る画像をシートに形成する画像形成部と、
外部装置との間で画像データを通信する通信部と、をさらに備え、
前記第１出力処理は、前記画像形成部によって、前記第１面から読み取られた画像データに係る画像をシートに形成し、かつ、前記通信部によって、前記第１面から読み取られた画像データを前記外部装置に送信する処理であり、
前記第２出力処理は、前記画像形成部によって、前記第１面から読み取られた画像データに係る画像をシートに形成する処理である、処理装置。
【請求項３】
請求項１に記載の処理装置であって、
画像データに係る画像をシートに形成する画像形成部と、
外部装置との間で画像データを通信する通信部と、をさらに備え、
前記第１出力処理は、前記画像形成部によって、前記第１面から読み取られた画像データに係る画像をシートに形成する処理であり、
前記第２出力処理は、前記通信部によって、前記第２面から読み取られた画像データを前記外部装置に送信する処理である、処理装置。
【請求項４】
請求項１〜３のいずれか一項に記載の処理装置であって、
前記制御部は、
前記第１面のみに画像を有する前記原稿が複数連続して前記読取部に読み取られた場合、前記読取部により前記第１面から読み取られた画像データについて、前記第１出力処理では、画像データの読み取り順と同順で画像データを出力し、
前記第２面のみに画像を有する前記原稿が複数連続して前記読取部に読み取られた場合、前記読取部により前記第２面から読み取られた画像データについて、前記第２出力処理では、画像データの読み取り順と逆順で画像データを出力する、処理装置。
【請求項５】
請求項１〜４のいずれか一項に記載の処理装置であって、
表示器をさらに備え、
前記制御部は、
前記読取部による前記原稿の読取結果から、前記原稿が前記第１面および前記第２面の両面に画像を有する両面原稿であると判断した場合、前記読取部による前記原稿の読取動作を継続するか否かの問合せを前記表示器に表示させる、処理装置。
【請求項６】
原稿を搬送する搬送部と、
前記搬送部により搬送される前記原稿の第１面およびその反対側の第２面の両面を読み取る読取部と、を備える処理装置において実行される画像データ出力方法であって、
前記読取部による前記原稿の読取結果から、前記原稿が前記第１面のみに画像を有するか第２面のみに画像を有するかが判断され、
前記原稿が前記第１面のみに画像を有すると判断された場合、前記読取部により前記第１面から読み取られた画像データについて、前記画像データが第１方式で出力され、
前記原稿が前記第２面のみに画像を有すると判断された場合、前記読取部により前記第２面から読み取られた画像データについて、前記画像データが前記第１方式とは異なる第２方式で出力される、画像データ出力方法。
【請求項７】
原稿を搬送する搬送部と、
前記搬送部により搬送される前記原稿の第１面およびその反対側の第２面の両面を読み取る読取部と、を備える処理装置のコンピュータにインストールされるプログラムであって、
前記コンピュータに、
前記読取部による前記原稿の読取結果から、前記原稿が前記第１面のみに画像を有するか第２面のみに画像を有するかを判断する判断処理を実行し、
前記判断処理で前記原稿が前記第１面のみに画像を有すると判断した場合、前記読取部により前記第１面から読み取られた画像データについて、前記画像データを第１方式で出力する第１出力処理を実行し、
前記判断処理で前記原稿が前記第２面のみに画像を有すると判断した場合、前記読取部により前記第２面から読み取られた画像データについて、前記画像データを前記第１方式とは異なる第２方式で出力する第２出力処理を実行させる、プログラム。
【発明の詳細な説明】
【技術分野】
【０００１】
本発明は、処理装置、処理装置における画像データ出力方法および処理装置のコンピュータにインストールされるプログラムに関する。
【背景技術】
【０００２】
従来、ＡＤＦ（Ａｕｔｏ  Ｄｏｃｕｍｅｎｔ  Ｆｅｅｄｅｒ）方式により原稿の画像を読み取る画像読取装置が提供されている。ＡＤＦ方式では、トレイ上に積み重ねられた原稿が１枚ずつ筐体内に送り込まれ、その原稿が筐体内を搬送されつつ、イメージセンサにより原稿の画像が読み取られる。
【０００３】
たとえば、特許文献１では、ＡＤＦ方式の画像読取装置を備えるファクシミリ装置において、１または複数枚の原稿を１組として、各組の原稿の先頭に付される宛先識別シートで区切られた原稿の組ごとに、その先頭の宛先識別シートで指定された電話番号の宛先に原稿の画像データを送信する技術が提案されている。
【先行技術文献】
【特許文献】
【０００４】
【特許文献１】特開平３−２３５４７２号公報
【発明の概要】
【発明が解決しようとする課題】
【０００５】
その技術によれば、各組の原稿の画像データに対して組ごとに個別に指定された宛先に送信するという異なる処理を実行することができる。しかし、組ごとに宛先識別シートを用意して付す必要があり、使い勝手が悪い。
【０００６】
本発明の目的は、原稿が画像を第１面のみに有するか第２面のみに有するかに応じて、第１処理および第２処理を適切に行うことができる、処理装置、画像データ出力方法およびプログラムを提供することである。
【課題を解決するための手段】
【０００７】
前記の目的を達成するため、本発明の一の局面に係る処理装置は、原稿を搬送する搬送部と、搬送部により搬送される原稿の第１面およびその反対側の第２面の両面を読み取る読取部と、制御部と、を備え、制御部は、読取部による原稿の読取結果から、原稿が第１面のみに画像を有するか第２面のみに画像を有するかを判断する判断処理を実行し、判断処理で原稿が第１面のみに画像を有すると判断した場合、読取部により第１面から読み取られた画像データについて、画像データを第１方式で出力する第１出力処理を実行し、判断処理で原稿が第２面のみに画像を有すると判断した場合、読取部により第２面から読み取られた画像データについて、画像データを第１方式とは異なる第２方式で出力する第２出力処理を実行する。
【０００８】
この構成によれば、第１面のみに画像を有する原稿が読取部によって読み取られた場合には、その第１面から読み取られた画像データ、つまり原稿が第１面に有する画像に係る画像データを第１方式で出力するための第１処理が実行される。一方、第２面のみに画像を有する原稿が読取部によって読み取られた場合には、その第２面から読み取られた画像データ、つまり原稿が第２面に有する画像に係る画像データを第２方式で出力するための第２処理が実行される。これにより、原稿が画像を第１面に有するか第２面に有するかに応じて、第１処理および第２処理を適切に行うことができる。
【０００９】
なお、本発明は、処理装置の形態で実現できるだけでなく、たとえば、処理装置で実行される画像データ出力方法、および処理装置のコンピュータにインストールされるプログラムの形態で実現することもできる。
【発明の効果】
【００１０】
本発明によれば、原稿が画像を第１面のみに有するか第２面のみに有するかに応じて、第１処理および第２処理を適切に行うことができる。
【図面の簡単な説明】
【００１１】
【図１】本発明の一実施形態に係るＭＦＰの要部構成を図解的に示す断面図である。
【図２】ＭＦＰの電気的構成を示すブロック図である。
【図３Ａ】群別出力選択処理（両面）の流れを示すフローチャート（その１）である。
【図３Ｂ】群別出力選択処理（両面）の流れを示すフローチャート（その２）である。
【図３Ｃ】群別出力選択処理（両面）の流れを示すフローチャート（その３）である。
【図４】原稿の並び順の一例を示す図である。
【図５】原稿が両面原稿である場合に表示部に表示される画面の一例を示す図である。
【図６】原稿の両面が白紙である場合に表示部に表示される画面の一例を示す図である。
【図７】本発明の他の実施形態に係るＭＦＰの要部構成を図解的に示す断面図である。
【図８Ａ】群別出力選択処理（スイッチバック）の流れを示すフローチャート（その１）である。
【図８Ｂ】群別出力選択処理（スイッチバック）の流れを示すフローチャート（その２）である。
【図９Ａ】排出原稿の並び替えの手法について説明するための図であり、並び替えの対象ではない原稿が排出された状態を図解的に示す。
【図９Ｂ】排出原稿の並び替えの手法について説明するための図であり、押し上げ部材が接触位置に移動した状態を図解的に示す。
【図９Ｃ】排出原稿の並び替えの手法について説明するための図であり、並び替えの対象の原稿が押し上げ部材に乗り上がる途中の状態を図解的に示す。
【図９Ｄ】排出原稿の並び替えの手法について説明するための図であり、並び替えの対象の原稿の後端部が押し上げ部材上に残った状態を図解的に示す。
【図９Ｅ】排出原稿の並び替えの手法について説明するための図であり、並び替えの対象の原稿が押し上げ部材に乗り上がっている原稿と押し上げ部材との間に進入する状態を図解的に示す。
【図９Ｆ】排出原稿の並び替えの手法について説明するための図であり、並び替えの対象の原稿が先に排出された原稿の下側に潜り込んだ状態を図解的に示す。
【図９Ｇ】排出原稿の並び替えの手法について説明するための図であり、並び替えの対象の原稿の排出が完了した状態を図解的に示す。
【発明を実施するための形態】
【００１２】
以下では、本発明の実施の形態について、添付図面を参照しつつ詳細に説明する。
【００１３】
＜ＭＦＰの構成＞
処理装置の一例としてのＭＦＰ（Ｍｕｌｔｉ−Ｆｕｎｃｔｉｏｎ  Ｐｅｒｉｐｈｅｒａｌ）１は、図１に示されるように、本体２と、ＡＤＦ（Auto Document Feeder：自動原稿搬送装置）３とを備えている。
【００１４】
本体２の上面には、コンタクトガラス１１が設けられている。コンタクトガラス１１は、ＭＦＰ１の前後方向と一致する主走査方向に延びる矩形板状をなしている。本体２内には、第１読取デバイス１２（読取部の一例）がコンタクトガラス１１の下方に設けられている。
【００１５】
ＡＤＦ３は、供給トレイ２１および排出トレイ２２を備えている。供給トレイ２１および排出トレイ２２は、上下に間隔を空けて重なった状態に設けられている。ＡＤＦ３内には、搬送経路２３が形成されている、搬送経路２３は、その一端が供給トレイ２１に臨む位置で開放され、Ｕ字状に湾曲しつつ折り返されて、コンタクトガラス１１上を経由し、他端が供給トレイ２１と排出トレイ２２との間で開放されている。
【００１６】
ＡＤＦ３内には、搬送経路２３に沿って、供給ローラ２４、分離ローラ２５、搬送ローラ２６Ａ，２６Ｂ，２６Ｃ，２６Ｄおよび排出ローラ２７が供給トレイ２１側からこの順に設けられている。搬送ローラ２６Ｃ，２６Ｄ間において、搬送経路２３は、コンタクトガラス１１の上面を経由している。コンタクトガラス１１と搬送経路２３を挟んで対向する位置には、原稿をコンタクトガラス１１の上面に押し付けるための押さえ部材３１が設けられている。
【００１７】
また、搬送ローラ２６Ｃと押さえ部材３１との間には、搬送経路２３の上側に、読取ユニット３２が設けられている。読取ユニット３２は、コンタクトガラス３３と、コンタクトガラス３３に対して搬送経路２３と反対側に配置される第２読取デバイス３４（読取部の一例）とを備えている。搬送経路２３は、コンタクトガラス３３の下面、つまりコンタクトガラス３３の搬送経路２３側の面を経由している。コンタクトガラス３３と搬送経路２３を挟んで対向する位置には、原稿をコンタクトガラス３３の下面に押し付けるための押さえ部材３５が配置されている。
【００１８】
排出トレイ２２上には、排出フィルム３６が設けられている。排出フィルム３６は、可撓性を有するフィルムシートを用いて形成され、排出ローラ２７の上側のローラと下側のローラとのニップ位置から排出トレイ２２の上面に向けて、排出ローラ２７から離れるほど排出トレイ２２の上面に近づくように傾斜して延びている。また、排出トレイ２２上には、排出ローラ２７側とは反対側の端部に、排出ストッパ３７が設けられている。
【００１９】
第１読取デバイス１２には、図２に示されるように、光源４１およびイメージセンサ４２が内蔵されている。イメージセンサ４２は、たとえば、複数の受光素子が主走査方向である前後方向に配列されたリニアイメージセンサからなる。
【００２０】
第２読取デバイス３４には、光源４３およびイメージセンサ４４が内蔵されている。イメージセンサ４４は、たとえば、複数の受光素子が主走査方向である前後方向に配列されたリニアイメージセンサからなる。
【００２１】
また、本体２内には、画像形成部４５が備えられている。画像形成部４５は、搬送経路上を１枚ずつ搬送されるプリント用紙などのシートにカラー画像またはモノクロ画像を形成する機構である。画像形成の方式は、電子写真方式であってもよいし、インクジェット方式であってもよい。
【００２２】
ＭＦＰ１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）５１、ＲＯＭ（Ｒｅａｄ  Ｏｎｌｙ  Ｍｅｍｏｒｙ）５２およびＲＡＭ（Ｒａｎｄｏｍ  Ａｃｃｅｓｓ  Ｍｅｍｏｒｙ）５３を備えている。
【００２３】
ＡＳＩＣ５１は、ＣＰＵ５４（制御部の一例）を内蔵している。ＲＯＭ５２は、フラッシュメモリなどの書き換え可能な不揮発性メモリからなる。ＲＯＭ５２には、ＣＰＵ５４によって実行されるプログラムおよび各種のデータなどが記憶されている。ＲＡＭ５３は、ＤＲＡＭ（Ｄｙｎａｍｉｃ  Ｒａｎｄｏｍ  Ａｃｃｅｓｓ  Ｍｅｍｏｒｙ）などの揮発性メモリであり、ＣＰＵ５４がプログラムを実行する際のワークエリアとして使用される。
【００２４】
ＡＳＩＣ５１には、操作パネル５５が接続されている。操作パネル５５は、たとえば、ＡＤＦ３の前面に設けられている。操作パネル５５は、タッチパネルからなり、液晶ディスプレイなどの表示部５６上に感圧式または静電容量式の透明フィルムスイッチなどの操作部５７を重ねて構成されている。表示部５６には、各種の情報や操作キーなどの画像が表示される。ユーザが表示部５６に表示される操作キーをタッチ操作することにより、そのタッチ操作された操作キーの種類に応じた指示が操作部５７に受け付けられる。操作部５７に指示が受け付けられると、その指示の内容に応じた信号（データ）が操作部５７からＡＳＩＣ５１に向けて送信される。
【００２５】
なお、表示部５６と操作部５７とは、タッチパネルを構成せずに、別々に独立して設けられていてもよい。
【００２６】
また、ＡＳＩＣ５１には、ネットワークインタフェース５８（通信部の一例）が接続されている。ネットワークインタフェース５８は、サーバやＰＣ（Ｐｅｒｓｏｎａｌ  Ｃｏｍｐｕｔｅｒ）などの外部装置とのＬＡＮ（Ｌｏｃａｌ  Ａｒｅａ  Ｎｅｔｗｏｒｋ）を介した通信のためのインタフェースである。通信の方式は、無線通信方式であってもよいし、有線通信方式であってもよい。
【００２７】
ＣＰＵ５４は、ＡＳＩＣ５１に入力される情報に基づいて、各種の処理のためのプログラムを実行することにより、第１読取デバイス１２、第２読取デバイス３４、画像形成部４５およびＡＤＦ搬送部５９の各部を制御する。ＡＤＦ搬送部５９は、供給ローラ２４、分離ローラ２５、搬送ローラ２６Ａ，２６Ｂ，２６Ｃ，２６Ｄおよび排出ローラ２７、ならびにそれらの駆動源としてのモータなどを含む。
【００２８】
ＭＦＰ１におけるシート状の原稿の読み取りに際しては、原稿が供給トレイ２１上に支持される。複数枚の原稿が読み取られる場合、その複数枚の原稿は、供給トレイ２１上で上下に積み重ねられる。
【００２９】
操作部５７が操作されて、原稿の読取開始が指示されると、ＡＤＦ搬送部５９が制御されて、供給ローラ２４、分離ローラ２５、搬送ローラ２６Ａ，２６Ｂ，２６Ｃ，２６Ｄおよび排出ローラ２７にモータの駆動力が伝達される。供給ローラ２４は、自転しつつ、分離ローラ２５の回転軸線を中心に回動して、供給トレイ２１上の最上位の原稿の上面をなす第１面Ｄ１に接触する。これにより、供給ローラ２４から最上位の原稿に搬送力が付与されて、その最上位の原稿が分離ローラ２５に向けて送り出される。原稿は、分離ローラ２５により１枚ずつに分離されて、搬送ローラ２６Ａ〜２６Ｄにより搬送経路２３を搬送された後、排出ローラ２７により排出トレイ２２上に排出される。その排出される原稿は、第１面Ｄ１を排出トレイ２２側、つまり下側に向けて、排出フィルム３６上を滑りながら進行し、後端が排出フィルム３６から離れた後、先端が排出ストッパ３７に当接して停止する。
【００３０】
原稿の搬送の途中、原稿が読取ユニット３２のコンタクトガラス３３と押さえ部材３５との間を通過する。このとき、原稿の第２面Ｄ２がコンタクトガラス３３に密着し、光源４３からの光がコンタクトガラス３３を通して第２面Ｄ２に照射され、第２面Ｄ２での反射光がイメージセンサ４４で受けられることにより、第２面Ｄ２が読み取られる。イメージセンサ４４は、第２面Ｄ２から読み取ったアナログ画像信号を出力し、そのアナログ画像信号は、ディジタル画像信号に変換されて、ＡＳＩＣ５１に入力される。
【００３１】
その後、原稿は、コンタクトガラス１１と押さえ部材３１との間を通過する。このとき、原稿の第１面Ｄ１がコンタクトガラス１１に密着し、光源４１からの光がコンタクトガラス１１を通して第１面Ｄ１に照射され、第１面Ｄ１での反射光がイメージセンサ４２で受けられることにより、第１面Ｄ１が読み取られる。イメージセンサ４２は、第１面Ｄ１から読み取ったアナログ画像信号を出力し、そのアナログ画像信号は、ディジタル画像信号に変換されて、ＡＳＩＣ５１に入力される。
【００３２】
＜群別出力選択処理（両面）＞
ＭＦＰ１における原稿の読み取り時には、ＡＳＩＣ５１のＣＰＵ５４により、図３Ａ、図３Ｂおよび図３Ｃに示される群別出力選択処理が実行される。
【００３３】
群別出力選択処理では、ＣＰＵ５４は、まず、ＲＡＭ５３に、モード履歴情報として「履歴無し」を書き込む（図３ＡのＳ１１）。また、ＣＰＵ５４は、ＲＡＭ５３に、読取要否情報として「要」を書き込む（Ｓ１２）。これにより、ＲＡＭ５３には、モード履歴情報「履歴無し」が記憶され、読取要否情報「要」が記憶される。
【００３４】
次に、ＣＰＵ５４は、ＲＡＭ５３に記憶されている読取要否情報が「要」であるか否かを判断する（Ｓ１３）。ＣＰＵ５４は、読取要否情報として「要」がＲＡＭ５３に記憶されていると判断した場合（Ｓ１３：ＹＥＳ）、第１読取デバイス１２、第２読取デバイス３４およびＡＤＦ搬送部５９を制御して、供給トレイ２１からの原稿の搬送を開始させ、１枚目の原稿の第１面Ｄ１および第２面Ｄ２を読み取らせる（Ｓ１４）。そして、ＣＰＵ５４は、第１面Ｄ１から読み取られた画像データを原稿表面画像のデータとしてＲＡＭ５３に書き込み、第２面Ｄ２から読み取られた画像データを原稿裏面画像のデータとしてＲＡＭ５３に書き込む（Ｓ１５）。これにより、ＲＡＭ５３には、原稿表面画像および原稿裏面画像の各データが記憶される。
【００３５】
この後、ＣＰＵ５４は、ＲＡＭ５３に記憶されている原稿表面画像および原稿裏面画像の各データから、原稿表面画像、つまり原稿の第１面Ｄ１の画像が白紙を表す画像（以下、単に「白紙画像」という。）ではなく、かつ、原稿裏面画像、つまり原稿の第２面Ｄ２の画像が白紙画像であるか否かを判断する（Ｓ１６）。そして、ＣＰＵ５４は、原稿表面画像が白紙画像ではなく、かつ、原稿裏面画像が白紙画像であると判断した場合（Ｓ１６：ＹＥＳ）、ＲＡＭ５３に、モード情報として「片面表」を書き込む（図３ＢのＳ１７）。これにより、ＲＡＭ５３には、モード情報「片面表」が記憶される。また、ＣＰＵ５４は、ＲＡＭ５３に記憶されている原稿表面画像のデータをデータ出力に使用されるページバッファに登録する（Ｓ１８）。
【００３６】
なお、「ページバッファに登録」は、原稿表面画像のデータが記憶されているＲＡＭ５３上の領域をページバッファとして設定する意味であってもよいし、原稿表面画像のデータをＲＡＭ５３上に設けられているページバッファの領域に移動させる意味であってもよい。
【００３７】
その後、ＣＰＵ５４は、ＲＡＭ５３に記憶されているモード情報とモード履歴情報とが同じであるか否かを判断する（図３ＣのＳ１９）。ＣＰＵ５４は、モード情報とモード履歴情報とが同じではないと判断した場合（Ｓ１９：ＮＯ）、ＲＡＭ５３に記憶されているモード履歴情報が「履歴無し」であるか否かを判断する（Ｓ２０）。ＣＰＵ５４は、モード履歴情報「履歴無し」がＲＡＭ５３に記憶されていると判断した場合（Ｓ２０：ＹＥＳ）、画像データを出力するジョブを新たに生成し（Ｓ２１）、そのジョブの第１ページのデータとしてページバッファに登録されている原稿表面画像のデータを追加する（Ｓ２２）。
【００３８】
そして、ＣＰＵ５４は、ＲＡＭ５３に記憶されているモード情報でモード履歴情報を上書きする（Ｓ２３）。これにより、ＲＡＭ５３には、モード履歴情報として「片面表」が記憶される。
【００３９】
その後、ＣＰＵ５４は、次の原稿が供給トレイ２１に支持されていない状態であるか否かを判断する（Ｓ２４）。なお、図示されていないが、供給トレイ２１に原稿が支持されているか否かに応じた検出信号を出力する原稿センサが設けられており、ＣＰＵ５４は、その原稿センサの検出信号から供給トレイ２１に原稿が支持されているか否かを判断する。
【００４０】
ＣＰＵ５４は、次の原稿が供給トレイ２１に支持されていない状態ではないと判断した場合（Ｓ２４：ＮＯ）、つまり次の原稿が供給トレイ２１に支持されていると判断した場合、ＲＡＭ５３に記憶されている読取要否情報が「要」であるか否かを再び判断する（図３ＡのＳ１３）。ＣＰＵ５４は、読取要否情報として「要」がＲＡＭ５３に記憶されていると判断した場合（Ｓ１３：ＹＥＳ）、供給トレイ２１から次の原稿を搬送させ、２枚目の原稿の第１面Ｄ１および第２面Ｄ２をそれぞれ第１読取デバイス１２および第２読取デバイス３４に読み取らせる（Ｓ１４）。そして、ＣＰＵ５４は、第１面Ｄ１から読み取られた画像データでＲＡＭ５３に記憶されている原稿表面画像のデータとしてＲＡＭ５３に書き込み、第２面Ｄ２から読み取られた画像データを原稿裏面画像のデータとしてＲＡＭ５３に書き込む（Ｓ１５）。これにより、ＲＡＭ５３に記憶されている原稿表面画像のデータが２枚目の原稿の第１面Ｄ１から読み取られた画像データに更新され、原稿裏面画像のデータが２枚目の原稿の第２面Ｄ２から読み取られた画像データに更新される。
【００４１】
この後、ＣＰＵ５４は、ＲＡＭ５３に記憶されている原稿表面画像および原稿裏面画像の各データから、原稿表面画像が白紙画像ではなく、かつ、原稿裏面画像が白紙画像であるか否かを判断する（Ｓ１６）。そして、ＣＰＵ５４は、原稿表面画像が白紙画像ではなく、かつ、原稿裏面画像が白紙画像であると判断した場合（Ｓ１６：ＹＥＳ）、ＲＡＭ５３に、モード情報として「片面表」を上書きする（図３ＢのＳ１７）。ＲＡＭ５３にモード情報として「片面表」が既に書き込まれている場合、モード履歴情報は、上書きされても「片面表」のまま変わらない。また、ＣＰＵ５４は、ＲＡＭ５３に記憶されている原稿表面画像のデータをデータ出力に使用されるページバッファに登録する（Ｓ１８）。
【００４２】
その後、ＣＰＵ５４は、ＲＡＭ５３に記憶されているモード情報とモード履歴情報とが同じであるか否かを判断する（図３ＣのＳ１９）。このとき、モード情報が「片面表」であり、モード履歴情報が「片面表」であるから、ＣＰＵ５４は、モード情報とモード履歴情報とが同じであると判断する（Ｓ１９：ＹＥＳ）。この場合、ＣＰＵ５４は、ジョブの第２ページのデータとしてページバッファに登録されている原稿表面画像のデータを追加する（Ｓ２２）。そして、ＣＰＵ５４は、ＲＡＭ５３に記憶されているモード情報「片面表」でモード履歴情報「片面表」を上書きする（Ｓ２３）。したがって、ＲＡＭ５３に記憶されているモード履歴情報は、「片面表」のまま変わらない。その後、ＣＰＵ５４は、次の原稿が供給トレイ２１に支持されていない状態であるか否かを判断する（Ｓ２４）。
【００４３】
たとえば、図４に示されるように、第１面Ｄ１が白紙ではなく、かつ、第２面Ｄ２が白紙である原稿Ａ−１，Ａ−２，Ａ−３が供給トレイ２１に支持されていた場合、前述のステップＳ１３〜Ｓ２４の処理がさらに実行されることにより、ジョブの第３ページのデータには、原稿Ａ−３の第１面Ｄ１から読み取られた画像データである原稿表面画像のデータが追加される。
【００４４】
図４に示される例では、原稿Ａ−３の下には、第１面Ｄ１が白紙であり、かつ、第２面Ｄ２が白紙ではない原稿Ｂ−２，Ｂ−１が上からこの順に積み重ねられている。そのため、ステップＳ１３以降の処理が再び実行されると、原稿Ｂ−２が供給トレイ２１から搬送される。この場合、ＣＰＵ５４は、原稿表面画像が白紙画像ではなく、かつ、原稿裏面画像が白紙画像であるとは判断せず（Ｓ１６：ＮＯ）、その判断に続いて、原稿表面画像が白紙画像であり、かつ、原稿裏面画像が白紙画像ではないか否かを判断する（Ｓ２５）。原稿Ｂ−２は、第１面Ｄ１が白紙であり、かつ、第２面Ｄ２が白紙ではないので、ＣＰＵ５４は、原稿表面画像が白紙画像であり、かつ、原稿裏面画像が白紙画像ではないか否かの判断を肯定する（Ｓ２５：ＹＥＳ）。そして、ＣＰＵ５４は、ＲＡＭ５３に、モード情報として「片面裏」を上書きする（図３ＢのＳ２６）。これにより、ＲＡＭ５３には、モード情報「片面裏」が記憶される。また、ＣＰＵ５４は、ＲＡＭ５３に記憶されている原稿裏面画像のデータをデータ出力に使用されるページバッファに登録する（Ｓ２７）。
【００４５】
その後、ＣＰＵ５４は、ＲＡＭ５３に記憶されているモード情報とモード履歴情報とが同じであるか否かを判断する（図３ＣのＳ１９）。このとき、モード情報が「片面裏」であり、モード履歴情報が「片面表」であるから、ＣＰＵ５４は、モード情報とモード履歴情報とが同じではないと判断する（Ｓ１９：ＮＯ）。
【００４６】
つづいて、ＣＰＵ５４は、ＲＡＭ５３に記憶されているモード履歴情報が「履歴無し」であるか否かを判断する（Ｓ２０）。そして、ＣＰＵ５４は、ＲＡＭ５３に記憶されているモード履歴情報が「履歴無し」ではないと判断し（Ｓ２０：ＮＯ）、先に生成されたジョブの内容を確定する（Ｓ２８）。これにより、そのジョブのデータには、原稿Ａ−１，Ａ−２，Ａ−３の各第１面Ｄ１から読み取られた画像データが含まれる。
【００４７】
ジョブの内容の確定後、ＣＰＵ５４は、ＲＡＭ５３に記憶されているモード履歴情報が「片面表」であるか否かを判断する（Ｓ２９）。ＣＰＵ５４は、ＲＡＭ５３に記憶されているモード履歴情報が「片面表」であると判断した場合（Ｓ２９：ＹＥＳ）、原稿Ａ−１，Ａ−２，Ａ−３からなるＡ群に係るジョブに対しては、「処理１」の実行を決定する（Ｓ３０）。「処理１」は、ジョブのデータに含まれる画像データを印刷データに加工し、画像形成部４５により印刷データに係る画像をシートに形成する処理である。印刷データは、たとえば、画像データをＭｏｄｅ９圧縮方式で圧縮加工することにより得られるデータであってもよい。Ｍｏｄｅ９圧縮方式は、ランレングス圧縮方式と、画像の幅方向の１ラインのデータが前のラインのデータと同じであるか否かに応じて圧縮を行う前ライン比較圧縮方式とを組み合わせた方式である。
【００４８】
その後、ＣＰＵ５４は、画像データを出力するジョブを新たに生成し（Ｓ２１）、そのジョブの第１ページのデータとしてページバッファに登録されている原稿裏面画像のデータを追加する（Ｓ２２）。そして、ＣＰＵ５４は、ＲＡＭ５３に記憶されているモード情報でモード履歴情報を上書きする（Ｓ２３）。これにより、ＲＡＭ５３には、モード履歴情報として「片面裏」が記憶される。また、ＣＰＵ５４は、次の原稿が供給トレイ２１に支持されていない状態であるか否かを判断する（Ｓ２４）。
【００４９】
ＣＰＵ５４は、次の原稿が供給トレイ２１に支持されていると判断した場合（Ｓ２４：ＮＯ）、ステップＳ１３以降の処理を再び実行する。図４に示される例では、ステップＳ１３以降の処理が再び実行されると、原稿Ｂ−１が供給トレイ２１から搬送される。この場合、ＣＰＵ５４は、原稿表面画像が白紙画像であり、かつ、原稿裏面画像が白紙画像ではないか否かの判断を肯定する（Ｓ２５：ＹＥＳ）。そして、ＣＰＵ５４は、ＲＡＭ５３に、モード情報として「片面裏」を上書きする（図３ＢのＳ２６）。ＲＡＭ５３にモード情報として「片面裏」が既に書き込まれている場合、モード履歴情報は、上書きされても「片面裏」のまま変わらない。また、ＣＰＵ５４は、ＲＡＭ５３に記憶されている原稿裏面画像のデータをデータ出力に使用されるページバッファに登録する（Ｓ２７）。
【００５０】
その後、ＣＰＵ５４は、ＲＡＭ５３に記憶されているモード情報とモード履歴情報とが同じであるか否かを判断する（図３ＣのＳ１９）。モード情報が「片面裏」であり、モード履歴情報が「片面裏」である場合、ＣＰＵ５４は、モード情報とモード履歴情報とが同じであると判断する（Ｓ１９：ＹＥＳ）。この場合、ＣＰＵ５４は、ジョブの第２ページのデータとしてページバッファに登録されている原稿裏面画像のデータを追加する（Ｓ２２）。そして、ＣＰＵ５４は、ＲＡＭ５３に記憶されているモード情報「片面裏」でモード履歴情報「片面裏」を上書きする（Ｓ２３）。したがって、ＲＡＭ５３に記憶されているモード履歴情報は、「片面裏」のまま変わらない。ＣＰＵ５４は、次の原稿が供給トレイ２１に支持されていない状態であるか否かを判断し（Ｓ２４）、次の原稿が供給トレイ２１に指示されていると判断した場合（Ｓ２４：ＮＯ）、ステップＳ１３以降の処理を再び実行する。
【００５１】
図４に示される例では、原稿Ｂ−１の下には、第１面Ｄ１が白紙ではなく、かつ、第２面Ｄ２が白紙である原稿Ｃ−１，Ｃ−２，Ｃ−３が上からこの順に積み重ねられている。そのため、ステップＳ１３以降の処理が再び実行されると、原稿Ｃ−１が供給トレイ２１から搬送される。この場合、ＣＰＵ５４は、原稿表面画像が白紙画像ではなく、かつ、原稿裏面画像が白紙画像であると判断し（Ｓ１６：ＮＯ）、ＲＡＭ５３に、モード情報として「片面表」を上書きする（図３ＢのＳ１７）。また、ＣＰＵ５４は、ＲＡＭ５３に記憶されている原稿表面画像のデータをデータ出力に使用されるページバッファに登録する（Ｓ１８）。
【００５２】
つづいて、ＣＰＵ５４は、ＲＡＭ５３に記憶されているモード情報とモード履歴情報とが同じであるか否かを判断する（図３ＣのＳ１９）。このとき、モード情報が「片面表」であり、モード履歴情報が「片面裏」であるから、ＣＰＵ５４は、モード情報とモード履歴情報とが同じではないと判断する（Ｓ１９：ＮＯ）。その後、ＣＰＵ５４は、ＲＡＭ５３に記憶されているモード履歴情報が「履歴無し」であるか否かを判断する（Ｓ２０）。そして、ＣＰＵ５４は、ＲＡＭ５３に記憶されているモード履歴情報が「履歴無し」ではないと判断し（Ｓ２０：ＮＯ）、先に生成されたジョブの内容を確定する（Ｓ２８）。これにより、そのジョブのデータには、原稿Ｂ−２，Ｂ−１の各第２面Ｄ２から読み取られた画像データが含まれる。
【００５３】
ジョブの内容の確定後、ＣＰＵ５４は、ＲＡＭ５３に記憶されているモード履歴情報が「片面表」であるか否かを判断する（Ｓ２９）。ＣＰＵ５４は、ＲＡＭ５３に記憶されているモード履歴情報が「片面裏」であり、「片面表」ではないと判断した場合（Ｓ２９：ＮＯ）、原稿Ｂ−２，Ｂ−１からなるＢ群に係るジョブに対して、そのジョブ内で原稿Ｂ−２，Ｂ−１の各第２面Ｄ２から読み取られた画像データを逆順に並び替える（Ｓ３１）。これにより、ジョブの実行時には、原稿Ｂ−１の第２面Ｄ２の画像データが先に出力され、次に原稿Ｂ−２の第２面Ｄ２の画像データが出力される。
【００５４】
ＣＰＵ５４は、Ｂ群に係るジョブに対して「処理２」の実行を決定する（Ｓ３２）。「処理２」は、ジョブのデータに含まれる画像データからＰＤＦファイルを生成し、そのＰＤＦファイルをネットワークインタフェース５８から外部装置にＦＴＰ（Ｆｉｌｅ  Ｔｒａｎｓｆｅｒ  Ｐｒｏｔｏｃｏｌ）送信する処理である。
【００５５】
その後、ＣＰＵ５４は、画像データを出力するジョブを新たに生成し（Ｓ２１）、そのジョブの第１ページのデータとしてページバッファに登録されている原稿表面画像のデータを追加する（Ｓ２２）。そして、ＣＰＵ５４は、ＲＡＭ５３に記憶されているモード情報でモード履歴情報を上書きする（Ｓ２３）。これにより、ＲＡＭ５３には、モード履歴情報として「片面表」が記憶される。また、ＣＰＵ５４は、次の原稿が供給トレイ２１に支持されていない状態であるか否かを判断し（Ｓ２４）、次の原稿が供給トレイ２１に指示されていると判断した場合（Ｓ２４：ＮＯ）、ステップＳ１３以降の処理を再び実行する。
【００５６】
前述のステップＳ１３〜Ｓ２４の処理が２回繰り返して実行されることにより、ジョブの第２ページのデータに、原稿Ｃ−２の第１面Ｄ１から読み取られた画像データである原稿表面画像のデータが追加され、第３ページのデータに、原稿Ｃ−３の第１面Ｄ１から読み取られた画像データである原稿表面画像のデータが追加される。
【００５７】
その後、ＣＰＵ５４は、次の原稿が供給トレイ２１に支持されていない状態であると判断し（Ｓ２４：ＹＥＳ）、ジョブの内容を確定する（Ｓ３３）。これにより、そのジョブのデータには、原稿Ｃ−１，Ｃ−２，Ｃ−３の各第１面Ｄ１から読み取られた画像データが含まれる。
【００５８】
ジョブの内容の確定後、ＣＰＵ５４は、ＲＡＭ５３に記憶されているモード履歴情報が「片面表」であるか否かを判断する（Ｓ３４）。ＣＰＵ５４は、ＲＡＭ５３に記憶されているモード履歴情報が「片面表」であると判断した場合（Ｓ３４：ＹＥＳ）、原稿Ｃ−１，Ｃ−２，Ｃ−３からなるＣ群に係るジョブに対しては、「処理１」の実行を決定する（Ｓ３０）。
【００５９】
また、ＣＰＵ５４は、ＲＡＭ５３に記憶されているモード履歴情報が「片面裏」であり、「片面表」ではないと判断した場合（Ｓ３４：ＮＯ）、ジョブ内で原稿の各第２面Ｄ２から読み取られた画像データを逆順に並び替える（Ｓ３６）。そして、ＣＰＵ５４は、そのジョブに対して「処理２」の実行を決定し（Ｓ３７）、群別出力選択処理を終了する。
【００６０】
供給トレイ２１に支持された原稿の中に、第１面Ｄ１および第２面Ｄ２の両面に画像を有する原稿、いわゆる両面原稿が含まれていた場合、その両面原稿の第１面Ｄ１および第２面Ｄ２が読み取られると、ＣＰＵ５４は、原稿表面画像が白紙画像ではなく、かつ、原稿裏面画像が白紙画像であるか否かの判断（Ｓ１６）および原稿表面画像が白紙画像であり、かつ、原稿裏面画像が白紙画像ではないか否かの判断（Ｓ２５）を続けて否定し、原稿表面画像が白紙画像ではなく、かつ、原稿裏面画像が白紙画像ではないか否かを判断する（Ｓ３８）。
【００６１】
なお、原稿表面画像が白紙画像であるか否かの判断、言い換えれば、第１面Ｄ１が白紙であるか否かの判断では、第１面Ｄ１の全領域について画像を有していないことを以て第１面Ｄ１が白紙であると判断されてもよいし、第１面Ｄ１の特定の領域について画像を有していないことを以て第１面Ｄ１が白紙される判断されてもよい。同様に、原稿裏面画像が白紙画像であるか否かの判断、言い換えれば、第２面Ｄ２が白紙であるか否かの判断では、第２面Ｄ２の全領域について画像を有していないことを以て第２面Ｄ２が白紙であると判断されてもよいし、第１面Ｄ２の特定の領域について画像を有していないことを以て第２面Ｄ２が白紙される判断されてもよい。特定の領域には、たとえば、第１面Ｄ１および第２面Ｄ２のそれぞれ周縁から所定幅の領域を除いた領域などが含まれる。
【００６２】
そして、ＣＰＵ５４は、原稿表面画像が白紙画像ではなく、かつ、原稿裏面画像が白紙画像ではないと判断し（Ｓ３８：ＹＥＳ）、原稿が両面原稿である旨をユーザに報知する（Ｓ３９）。具体的には、ＣＰＵ５４は、図５に示される報知画面を操作パネル５５の表示部５６に表示させる。この報知画面には、「警告：原稿を両面原稿と判定しました。再実行の場合は原稿を再挿入してください」のメッセージとともに、原稿の読み取りの継続を指示する継続ボタン６１、原稿の読み直しを指示する再実行ボタン６２および原稿の読み取りの停止を指示する停止ボタン６３が表示される。
【００６３】
その後、ＣＰＵ５４は、継続ボタン６１が押操作による原稿の読み取りの継続の指示がなされたか否かを判断する（Ｓ４０）。ＣＰＵ５４は、継続指示がなされたと判断した場合（Ｓ４０：ＹＥＳ）、ＲＡＭ５３に、読取要否情報として「否」を書き込む（Ｓ４１）。これにより、ＲＡＭ５３には、読取要否情報「否」が記憶される。
【００６４】
つづいて、ＣＰＵ５４は、ＲＡＭ５３に記憶されているモード履歴情報が「履歴無し」であるか否かを判断する（図３ＢのＳ４２）。ＣＰＵ５４は、モード履歴情報「履歴無し」がＲＡＭ５３に記憶されていると判断した場合（Ｓ４２：ＹＥＳ）、ＲＡＭ５３に、モード情報として「片面表」を書き込む（Ｓ４３）。これにより、ＲＡＭ５３には、モード情報「片面表」が記憶される。また、ＣＰＵ５４は、ＲＡＭ５３に記憶されている原稿表面画像のデータをデータ出力に使用されるページバッファに登録する（Ｓ４４）。さらに、ＣＰＵ５４は、ＲＡＭ５３に記憶されている原稿裏面画像のデータを白紙画像のデータに更新する（Ｓ４５）。
【００６５】
その後、ＣＰＵ５４は、ＲＡＭ５３に記憶されているモード情報とモード履歴情報とが同じであるか否かを判断する（図３ＣのＳ１９）。ＣＰＵ５４は、モード情報とモード履歴情報とが同じではないと判断した場合（Ｓ１９：ＮＯ）、ＲＡＭ５３に記憶されているモード履歴情報が「履歴無し」であるか否かを判断する（Ｓ２０）。ＣＰＵ５４は、モード履歴情報「履歴無し」がＲＡＭ５３に記憶されていると判断した場合（Ｓ２０：ＹＥＳ）、画像データを出力するジョブを新たに生成し（Ｓ２１）、そのジョブの第１ページのデータとしてページバッファに登録されている原稿表面画像のデータを追加する（Ｓ２２）。
【００６６】
そして、ＣＰＵ５４は、ＲＡＭ５３に記憶されているモード情報でモード履歴情報を上書きする（Ｓ２３）。これにより、ＲＡＭ５３には、モード履歴情報として「片面表」が記憶される。
【００６７】
その後、ＣＰＵ５４は、次の原稿が供給トレイ２１に支持されていない状態であるか否かを判断し（Ｓ２４）、次の原稿が供給トレイ２１に指示されていると判断した場合（Ｓ２４：ＮＯ）、ＲＡＭ５３に記憶されている読取要否情報が「要」であるか否かを再び判断する（図３ＡのＳ１３）。ＣＰＵ５４は、読取要否情報として「否」がＲＡＭ５３に記憶されていると判断した場合（Ｓ１３：ＮＯ）、ＲＡＭ５３に、読取要否情報として「要」を書き込む（Ｓ４６）。これにより、ＲＡＭ５３には、読取要否情報「要」が記憶される。その後、ＣＰＵ５４は、ステップＳ１６以降の処理を実行する。
【００６８】
一方、ＣＰＵ５４は、原稿が両面原稿である旨をユーザに報知した後、継続が指示されていないと判断した場合（Ｓ４０：ＮＯ）、停止ボタン６３の押操作による原稿の読み取りの停止の指示がなされたか否かを判断する（Ｓ４７）。
【００６９】
ＣＰＵ５４は、原稿の読み取りの停止が指示されたと判断した場合（Ｓ４７：ＹＥＳ）、ＲＡＭ５３に記憶されているジョブのデータを全て削除して（Ｓ４８）、群別出力選択処理を終了する。
【００７０】
ＣＰＵ５４は、原稿の読み取りの継続の指示および停止の指示のいずれもなされていないと判断した場合（Ｓ４７：ＮＯ）、すなわち、再実行ボタン６２が押操作されたと判断した場合、ステップＳ１３以降の処理を再び実行する。再実行ボタン６２が押操作される場合、原稿が供給トレイ２１に支持されている原稿上に載置される。
【００７１】
また、ＣＰＵ５４は、ＲＡＭ５３に記憶されているモード履歴情報が「履歴無し」であるか否かの判断において（Ｓ４２）。モード履歴情報「履歴無し」がＲＡＭ５３に記憶されていないと判断した場合（Ｓ４２：ＮＯ）、モード履歴情報が「片面裏」であるか否かを判断する（Ｓ４９）。
【００７２】
ＣＰＵ５４は、モード履歴情報が「片面表」であり、「片面裏」ではないと判断した場合（Ｓ４９：ＮＯ）、ステップＳ４３以降の処理を実行する。
【００７３】
ＣＰＵ５４は、モード履歴情報が「片面裏」であると判断した場合（Ｓ４９：ＹＥＳ）、ＲＡＭ５３に、モード情報として「片面裏」を書き込む（Ｓ５０）。これにより、ＲＡＭ５３には、モード情報「片面裏」が記憶される。また、ＣＰＵ５４は、ＲＡＭ５３に記憶されている原稿裏面画像のデータをデータ出力に使用されるページバッファに登録する（Ｓ５１）。さらに、ＣＰＵ５４は、ＲＡＭ５３に記憶されている原稿表面画像のデータを白紙画像のデータに更新する（Ｓ５２）。その後、ＣＰＵ５４は、図３ＣのステップＳ１９以降の処理を実行する。
【００７４】
供給トレイ２１に支持された原稿の中に、第１面Ｄ１および第２面Ｄ２の両面が白紙である原稿、いわゆる白紙原稿が含まれていた場合、その白紙原稿の第１面Ｄ１および第２面Ｄ２が読み取られると、ＣＰＵ５４は、原稿表面画像が白紙画像ではなく、かつ、原稿裏面画像が白紙画像であるか否かの判断（Ｓ１６）および原稿表面画像が白紙画像であり、かつ、原稿裏面画像が白紙画像ではないか否かの判断（Ｓ２５）を続けて否定し、原稿表面画像が白紙画像ではなく、かつ、原稿裏面画像が白紙画像ではないか否かの判断も否定する（Ｓ３８：ＮＯ）。
【００７５】
この場合、ＣＰＵ５４は、原稿の両面が白紙である旨をユーザに報知する（Ｓ５３）。具体的には、ＣＰＵ５４は、図６に示される報知画面を操作パネル５５の表示部５６に表示させる。この報知画面には、「警告：原稿を両面を白紙と判定しました。再実行の場合は原稿を再挿入してください」のメッセージとともに、原稿の読み取りの継続を指示する継続ボタン７１および原稿の読み取りの停止を指示する停止ボタン７２が表示される。
【００７６】
その後、ＣＰＵ５４は、停止ボタン６３の押操作による原稿の読み取りの停止の指示がなされたか否かを判断する（Ｓ４７）。ＣＰＵ５４は、原稿の読み取りの停止が指示されたと判断した場合（Ｓ４７：ＹＥＳ）、ＲＡＭ５３に記憶されているジョブのデータを全て削除して（Ｓ４８）、群別出力選択処理を終了する。
【００７７】
ＣＰＵ５４は、原稿の読み取りの停止の指示がなされていないと判断した場合（Ｓ４７：ＮＯ）、すなわち、再実行ボタン６２が押操作されたと判断した場合、ステップＳ１３以降の処理を再び実行する。再実行ボタン６２が押操作される場合、原稿が供給トレイ２１に支持されている原稿上に載置される。ステップＳ１３以降の処理が実行されることにより、原稿表面画像および原稿裏面画像の各データが新たに載置された原稿の第１面Ｄ１および第２面Ｄ２から読み取られた画像データに置き換わる。これにより、白紙画像のデータが出力されることが抑制される。
【００７８】
＜作用効果＞
以上のように、第１面Ｄ１のみに画像を有する原稿が第１読取デバイス１２によって読み取られた場合には、その第１面Ｄ１から読み取られた画像データ、つまり原稿が第１面Ｄ１に有する画像に係る画像データを出力するための「処理１」が実行される。一方、第２面Ｄ２のみに画像を有する原稿が第２読取デバイス３４によって読み取られた場合には、その第２面Ｄ２から読み取られた画像データ、つまり原稿が第２面Ｄ２に有する画像に係る画像データを出力するための「処理２」が実行される。これにより、原稿が画像を第１面Ｄ１に有するか第２面Ｄ２に有するかに応じて、「処理１」および「処理２」を適切に行うことができる。
【００７９】
また、図４に示される一例のように、第１面Ｄ１が白紙であり、かつ、第２面Ｄ２が白紙ではない原稿Ｂ−２，Ｂ−１が上からこの順に積み重ねられている場合、原稿Ｂ−２，Ｂ−１の順に第２面Ｄ２が第２読取デバイス３４によって読み取られるが、その原稿Ｂ−２，Ｂ−１からなるＢ群に係るジョブに対して、ジョブ内で原稿Ｂ−２，Ｂ−１の各第２面Ｄ２から読み取られた画像データが逆順に並び替えられる。これにより、ジョブの実行時には、原稿Ｂ−１の第２面Ｄ２の画像データを先に出力し、次に原稿Ｂ−２の第２面Ｄ２の画像データを出力することができる。
【００８０】
また、原稿が前記第１面Ｄ１および前記第２面Ｄ２の両面に画像を有する両面原稿である場合、図５に示される画面が操作パネル５５の表示部５６に表示される。これにより、原稿の読み取りを継続するか否かについてのユーザの意志を確認することができ、ユーザの意志に応じた処理を実行することができる。
【００８１】
＜ＭＦＰの他の構成＞
本発明は、図１に示される構成のＭＦＰ１に限らず、図７に示されるＭＦＰ１０１に適用することも可能である。図７において、図１に示される各部に相当する部分には、それらの各部と同一の参照符号が付されている。また、以下では、その同一の参照符号が付された部分の説明を省略し、図７に示される構成について、図１に示される構成との相違点のみを説明する。
【００８２】
ＭＦＰ１０１には、図１に示される読取ユニット３２が備えられていない。
【００８３】
また、搬送ローラ２６Ｄと排出ローラ２７との間で搬送経路２３からスイッチバック路１０２が分岐している。スイッチバック路１０２は、搬送ローラ２６Ａと搬送ローラ２６Ｂとの間で搬送経路２３と交差し、搬送経路２３の上方に延びている。スイッチバック路１０２には、スイッチバックローラ１０３が設けられている。さらには、搬送経路２３とスイッチバック路１０２との交差部分には、第１フラッパ１０４が設けられ、搬送経路２３とスイッチバック路１０２との分岐部分には、第２フラッパ１０５が設けられている。
【００８４】
また、排出トレイ２２には、排出トレイ２２に排出される原稿を押し上げるための押し上げ部材１０６が設けられている。押し上げ部材１０６は、排出トレイ２２に排出される原稿と接触しない非接触位置（図９Ａ参照）と、排出トレイ２２に排出される原稿に下方から接触して、その原稿を押し上げる接触位置とに変位可能に設けられている。
【００８５】
なお、第１フラッパ１０４、第２フラッパ１０５および押し上げ部材１０６は、図２に示されるＡＤＦ搬送部５９に含まれる。
【００８６】
＜群別出力選択処理（スイッチバック）＞
ＭＦＰ１０１における原稿の読み取り時には、ＡＳＩＣ５１のＣＰＵ５４により、図８Ａおよび図８Ｂに示される群別出力選択処理が実行される。
【００８７】
群別出力選択処理では、ＣＰＵ５４は、まず、ＲＡＭ５３に、モード履歴情報として「履歴無し」を書き込む（図８ＡのＳ１１１）。また、ＣＰＵ５４は、ＲＡＭ５３に、モード情報として「未判定」を書き込む（Ｓ１１２）。これにより、ＲＡＭ５３には、モード履歴情報「履歴無し」が記憶され、モード情報「未判定」が記憶される。
【００８８】
次に、ＣＰＵ５４は、第１読取デバイス１２およびＡＤＦ搬送部５９を制御して、供給トレイ２１からの原稿の搬送を開始させ、第１読取デバイス１２に、１枚目の原稿の第１面Ｄ１、つまり供給トレイ２１に支持されている状態での上面を読み取らせる（Ｓ１１３）。
【００８９】
原稿の第１面Ｄ１が読み取られると、ＣＰＵ５４は、その読み取られた画像データから、原稿の読取面である第１面Ｄ１が画像を有する原稿面であるか否かを判断する（Ｓ１１４）。ＣＰＵ５４は、原稿の第１面Ｄ１が原稿面であると判断した場合（Ｓ１１４：ＹＥＳ）、つづいて、ＲＡＭ５３に記憶されているモード情報が「白紙面」であるか否かを判断する（Ｓ１１５）。
【００９０】
ＣＰＵ５４は、ＲＡＭ５３に記憶されているモード情報が「白紙面」ではないと判断した場合（Ｓ１１５：ＮＯ）、ＲＡＭ５３に、モード情報として「原稿反転なし」を書き込む（Ｓ１１６）。これにより、ＲＡＭ５３に記憶されているモード情報が「未判定」から「原稿反転なし」に更新される。
【００９１】
その後、ＣＰＵ５４は、ＲＡＭ５３に記憶されているモード情報とモード履歴情報とが同じであるか否かを判断する（図８ＢのＳ１１７）。ＣＰＵ５４は、モード情報とモード履歴情報とが同じではないと判断した場合（Ｓ１１７：ＮＯ）、ＲＡＭ５３に記憶されているモード履歴情報が「履歴無し」であるか否かを判断する（Ｓ１１８）。ＣＰＵ５４は、モード履歴情報「履歴無し」がＲＡＭ５３に記憶されていると判断した場合（Ｓ１１８：ＹＥＳ）、画像データを出力するジョブを新たに生成し（Ｓ１１９）、そのジョブの第１ページのデータとして第１読取デバイス１２に読み取られた画像データを追加する（Ｓ１２０）。
【００９２】
そして、ＣＰＵ５４は、ＲＡＭ５３に記憶されているモード情報でモード履歴情報を上書きする（Ｓ１２１）。これにより、ＲＡＭ５３には、モード履歴情報として「原稿反転なし」が記憶される。
【００９３】
その後、ＣＰＵ５４は、次の原稿が供給トレイ２１に支持されていない状態であるか否かを判断する（Ｓ１２２）。ＣＰＵ５４は、次の原稿が供給トレイ２１に支持されていない状態ではないと判断した場合（Ｓ１２２：ＮＯ）、つまり次の原稿が供給トレイ２１に支持されていると判断した場合、ＲＡＭ５３に、モード情報として「未判定」を書き込む（Ｓ１１２）。そして、ＣＰＵ５４は、供給トレイ２１から次の原稿を搬送させ、２枚目の原稿の第１面Ｄ１を第１読取デバイス１２に読み取らせる（Ｓ１１３）。
【００９４】
２枚目の原稿の第１面Ｄ１が読み取られると、ＣＰＵ５４は、その読み取られた画像データから、原稿の読取面である第１面Ｄ１が原稿面であるか否かを判断する（Ｓ１１４）。ＣＰＵ５４は、原稿の第１面Ｄ１が原稿面であると判断した場合（Ｓ１１４：ＹＥＳ）、ＲＡＭ５３に記憶されているモード情報が「白紙面」であるか否かを判断する（Ｓ１１５）。ＣＰＵ５４は、ＲＡＭ５３に記憶されているモード情報が「白紙面」ではないと判断した場合（Ｓ１１５：ＮＯ）、ＲＡＭ５３に、モード情報として「原稿反転なし」を書き込む（Ｓ１１６）。これにより、ＲＡＭ５３に記憶されているモード情報が「未判定」から「原稿反転なし」に更新される。
【００９５】
その後、ＣＰＵ５４は、ＲＡＭ５３に記憶されているモード情報とモード履歴情報とが同じであるか否かを判断する（図８ＢのＳ１１７）。ＣＰＵ５４は、モード情報とモード履歴情報とが同じであると判断した場合（Ｓ１１７：ＹＥＳ）、ジョブの第２ページのデータとして第１読取デバイス１２に読み取られた画像データを追加する（Ｓ１２０）。
【００９６】
一方、ＣＰＵ５４は、原稿の読取面である第１面Ｄ１が原稿面ではないと判断した場合（図８ＡのＳ１１４：ＮＯ）、ＲＡＭ５３に記憶されているモード情報が「白紙面」であるか否かを判断する（Ｓ１２３）。
【００９７】
ＣＰＵ５４は、ＲＡＭ５３に記憶されているモード情報が「白紙面」ではないと判断した場合（Ｓ１２３：ＮＯ）、ＲＡＭ５３に、モード情報として「白紙面」を書き込む（Ｓ１２４）。これにより、ＲＡＭ５３には、モード情報として「白紙面」が記憶される。
【００９８】
また、ＣＰＵ５４は、ＡＤＦ搬送部５９を制御して、コンタクトガラス１１上を通過した原稿がスイッチバック路１０２に進入するよう、第１フラッパ１０４および第２フラッパ１０５の位置を変更する。そして、スイッチバック路１０２を進行する原稿の後端が搬送経路２３とスイッチバック路１０２との交差部分を超えると、ＣＰＵ５４は、第１フラッパ１０４および第２フラッパ１０５の位置を元の位置に戻す。その後、ＣＰＵ５４は、ＡＤＦ搬送部５９を制御して、スイッチバックローラ１０３により、原稿をスイッチバック路１０２から搬送経路２３に送り込む（スイッチバック）。これにより、原稿は、供給トレイ２１上から搬送開始されたときと表裏が反転されて、搬送経路２３をコンタクトガラス１１上に向けて搬送される（Ｓ１２５）。その結果、原稿の第２面Ｄ２、つまり供給トレイ２１に支持されている状態での下面がコンタクトガラス１１に対向し、第１読取デバイス１２により、原稿の第２面Ｄ２が読み取られる（Ｓ１１３）。
【００９９】
その後、ＣＰＵ５４は、原稿の第２面Ｄ２が読み取られると、ＣＰＵ５４は、その読み取られた画像データから、原稿の読取面、つまり第２面Ｄ２が原稿面であるか否かを判断する（Ｓ１１４）。ＣＰＵ５４は、原稿の読取面が原稿面であると判断した場合（Ｓ１１４：ＹＥＳ）、ＲＡＭ５３に記憶されているモード情報が「白紙面」であるか否かを判断する（Ｓ１１５）。ＣＰＵ５４は、ＲＡＭ５３に記憶されているモード情報が「白紙面」であると判断した場合（Ｓ１１５：ＹＥＳ）、そのモード情報を「白紙面」から「原稿反転あり」に更新する（Ｓ１２６）。
【０１００】
モード情報の更新後、ＣＰＵ５４は、ＲＡＭ５３に記憶されているモード情報とモード履歴情報とが同じであるか否かを判断する（図８ＢのＳ１１７）。ＣＰＵ５４は、モード情報とモード履歴情報とが同じではないと判断した場合（Ｓ１１７：ＮＯ）、ＲＡＭ５３に記憶されているモード履歴情報が「履歴無し」であるか否かを判断する（Ｓ１１８）。ＣＰＵ５４は、モード履歴情報「履歴無し」がＲＡＭ５３に記憶されていないと判断した場合（Ｓ１１８：ＮＯ）、先に生成されたジョブの内容を確定する（Ｓ１２７）。これにより、そのジョブのデータには、原稿の第１面Ｄ１から読み取られた画像データが含まれる。
【０１０１】
ジョブの内容の確定後、ＣＰＵ５４は、ＲＡＭ５３に記憶されているモード履歴情報が「原稿反転なし」であるか否かを判断する（Ｓ１２８）。ＣＰＵ５４は、ＲＡＭ５３に記憶されているモード履歴情報が「原稿反転なし」であると判断した場合（Ｓ１２８：ＹＥＳ）、原稿の第１面Ｄ１が読み取られたジョブに対しては、「処理１」の実行を決定する（Ｓ１２９）。「処理１」は、ジョブのデータに含まれる画像データを印刷データに加工し、画像形成部４５により印刷データに係る画像をシートに形成する処理である。
【０１０２】
その後、ＣＰＵ５４は、画像データを出力するジョブを新たに生成し（Ｓ１１９）、そのジョブの第１ページのデータとして第１読取デバイス１２に読み取られた画像データ、つまり原稿の第２面Ｄ２から読み取られた画像データを追加する（Ｓ１２０）。そして、ＣＰＵ５４は、ＲＡＭ５３に記憶されているモード情報でモード履歴情報を上書きする（Ｓ１２１）。これにより、ＲＡＭ５３には、モード履歴情報として「原稿反転あり」が記憶される。また、ＣＰＵ５４は、次の原稿が供給トレイ２１に支持されていない状態であるか否かを判断する（Ｓ１２２）。
【０１０３】
ＣＰＵ５４は、次の原稿が供給トレイ２１に支持されていると判断した場合（Ｓ１２２：ＮＯ）、図８ＡのステップＳ１１２以降の処理を再び実行する。たとえば、次の原稿も第２面Ｄ２に画像を有する原稿である場合、ＣＰＵ５４は、原稿の読取面である第１面Ｄ１が原稿面ではないと判断し（Ｓ１１４：ＮＯ）、ＲＡＭ５３に記憶されているモード情報が「白紙面」ではないと判断して（Ｓ１２３：ＮＯ）、ＲＡＭ５３に、モード情報として「白紙面」を書き込む（Ｓ１２４）。これにより、ＲＡＭ５３には、モード情報として「白紙面」が記憶される。また、ＣＰＵ５４は、搬送経路２３を搬送される原稿の表裏を反転させて（Ｓ１２５）、原稿の第２面Ｄ２を第１読取デバイス１２に読み取らせる（Ｓ１１３）。その後、ＣＰＵ５４は、ＲＡＭ５３に記憶されているモード情報とモード履歴情報とが同じであると判断し（図８ＢのＳ１１７：ＹＥＳ）、ジョブの第２ページのデータとして第１読取デバイス１２に読み取られた第２面Ｄ２の画像データを追加する（Ｓ１２０）。
【０１０４】
その後、ＣＰＵ５４は、次の原稿が供給トレイ２１に支持されていない状態であるか否かを判断し（Ｓ１２２）、次の原稿が供給トレイ２１に支持されていると判断した場合（Ｓ１２２：ＮＯ）、図８ＡのステップＳ１１２以降の処理を再び実行する。第１面Ｄ１に画像を有する原稿が供給トレイ２１から送り出された場合、ＣＰＵ５４は、原稿の読取面である第１面Ｄ１が画像を有する原稿面であると判断する（Ｓ１１４：ＹＥＳ）。このとき、ＲＡＭ５３に記憶されているモード情報が「未判定」であるので、ＣＰＵ５４は、ＲＡＭ５３に記憶されているモード情報が「白紙面」であるか否かの判断を否定し（Ｓ１１５：ＮＯ）、ＲＡＭ５３に、モード情報として「原稿反転なし」を書き込む（Ｓ１１６）。これにより、ＲＡＭ５３に記憶されているモード情報が「未判定」から「原稿反転なし」に更新される。
【０１０５】
モード情報の更新後、ＣＰＵ５４は、ＲＡＭ５３に記憶されているモード情報とモード履歴情報とが同じであるか否かを判断する（図８ＢのＳ１１７）。ＣＰＵ５４は、モード情報とモード履歴情報とが同じではないと判断した場合（Ｓ１１７：ＮＯ）、ＲＡＭ５３に記憶されているモード履歴情報が「履歴無し」であるか否かを判断する（Ｓ１１８）。ＣＰＵ５４は、モード履歴情報「履歴無し」がＲＡＭ５３に記憶されていないと判断した場合（Ｓ１１８：ＮＯ）、それまでのジョブの内容を確定する（Ｓ１２７）。これにより、そのジョブのデータには、原稿の第２面Ｄ２から読み取られた画像データが含まれる。
【０１０６】
ジョブの内容の確定後、ＣＰＵ５４は、ＲＡＭ５３に記憶されているモード履歴情報が「原稿反転なし」であるか否かを判断する（Ｓ１２８）。ＣＰＵ５４は、ＲＡＭ５３に記憶されているモード履歴情報が「原稿反転なし」ではないと判断した場合（Ｓ１２８：ＮＯ）、原稿の第２面Ｄ２が読み取られたジョブに対して、そのジョブ内で原稿の各第２面Ｄ２から読み取られた画像データを逆順に並び替える（Ｓ１３０）。これにより、ジョブの実行時には、新しく読み取られた画像データから順に出力される。
【０１０７】
ＣＰＵ５４は、原稿の第２面Ｄ２が読み取られたジョブに対しては、「処理２」の実行を決定する（Ｓ１３１）。「処理２」は、ジョブのデータに含まれる画像データからＰＤＦファイルを生成し、そのＰＤＦファイルをネットワークインタフェース５８から外部装置に送信する処理である。
【０１０８】
その後、ＣＰＵ５４は、画像データを出力するジョブを新たに生成し（Ｓ１１９）、そのジョブの第１ページのデータとして第１読取デバイス１２に読み取られた画像データ、つまり原稿の第１面Ｄ１から読み取られた画像データを追加する（Ｓ１２０）。そして、ＣＰＵ５４は、ＲＡＭ５３に記憶されているモード情報でモード履歴情報を上書きする（Ｓ１２１）。これにより、ＲＡＭ５３には、モード履歴情報として「原稿反転あり」が記憶される。また、ＣＰＵ５４は、次の原稿が供給トレイ２１に支持されていない状態であるか否かを判断する（Ｓ１２２）。
【０１０９】
供給トレイ２１に支持されている原稿がなくなると、ＣＰＵ５４は、次の原稿が供給トレイ２１に支持されていない状態であると判断し（Ｓ１２２：ＹＥＳ）、ジョブの内容を確定する（Ｓ１３２）。
【０１１０】
ジョブの内容の確定後、ＣＰＵ５４は、ＲＡＭ５３に記憶されているモード履歴情報が「原稿反転なし」であるか否かを判断する（Ｓ１３３）。ＣＰＵ５４は、ＲＡＭ５３に記憶されているモード履歴情報が「原稿反転なし」であると判断した場合（Ｓ３４：ＹＥＳ）、「処理１」の実行を決定して（Ｓ１３４）、群別出力選択処理を終了する。
【０１１１】
また、ＣＰＵ５４は、ＲＡＭ５３に記憶されているモード履歴情報が「原稿反転なし」ではないと判断した場合（Ｓ１３３：ＮＯ）、ジョブ内で原稿の第２面Ｄ２から読み取られた画像データを逆順に並び替える（Ｓ１３５）。そして、ＣＰＵ５４は、そのジョブに対して「処理２」の実行を決定し（Ｓ１３６）、群別出力選択処理を終了する。
【０１１２】
供給トレイ２１に支持された原稿の中に、第１面Ｄ１および第２面Ｄ２の両面が白紙である原稿、いわゆる白紙原稿が含まれていた場合、その白紙原稿の第２面Ｄ２が読み取られると、ＣＰＵ５４は、ＲＡＭ５３に記憶されているモード情報が「白紙面」であると判断し（Ｓ１２３：ＹＥＳ）、原稿の両面が白紙である旨をユーザに報知する（Ｓ１３７）。具体的には、ＣＰＵ５４は、図６に示される報知画面を操作パネル５５の表示部５６に表示させる。
【０１１３】
その後、ＣＰＵ５４は、図６に示される停止ボタン６３の押操作による原稿の読み取りの停止の指示がなされたか否かを判断する（Ｓ１３８）。ＣＰＵ５４は、原稿の読み取りの停止が指示されたと判断した場合（Ｓ１３８：ＹＥＳ）、ＲＡＭ５３に記憶されているジョブのデータを全て削除して（Ｓ１３９）、群別出力選択処理を終了する。
【０１１４】
ＣＰＵ５４は、原稿の読み取りの停止の指示がなされていないと判断した場合（Ｓ１３８：ＮＯ）、すなわち、図６に示される再実行ボタン６２が押操作されたと判断した場合、ステップＳ１１２以降の処理を再び実行する。再実行ボタン６２が押操作される場合、原稿が供給トレイ２１に支持されている原稿上に載置される。ステップＳ１１２以降の処理が実行されることにより、その新たに載置された原稿の第１面Ｄ１または第２面Ｄ２から読み取られた画像データがジョブのデータと追加される。これにより、白紙画像のデータが出力されることが抑制される。
【０１１５】
＜作用効果＞
図７に示されるＭＦＰ１０１ならびに図８Ａおよび図８Ｂに示される群別出力選択処理の組合せによっても、第１の実施形態の場合と同様の作用効果を奏することができる。
【０１１６】
＜排出原稿の並び替え＞
図４に示される原稿束が供給トレイ２１に支持される場合、供給トレイ２１上において、第１面Ｄ１が白紙ではなく、かつ、第２面Ｄ２が白紙である原稿Ａ−１，Ａ−２，Ａ−３が上からこの順に積み重なり、原稿Ａ−３の下で、第１面Ｄ１が白紙であり、かつ、第２面Ｄ２が白紙ではない原稿Ｂ−２，Ｂ−１が上からこの順に積み重なる。原稿Ａ−１，Ａ−２，Ａ−３は、スイッチバックされずに排出トレイ２２に排出されるので、排出トレイ２２上では、第１面Ｄ１を下に向けて、下からその順に積み重なる。原稿Ｂ−２，Ｂ−１は、スイッチバックされて排出トレイ２２に排出されるので、原稿Ｂ−２，Ｂ−１が排出トレイ２２にこの順で支持される場合、原稿Ｂ−２，Ｂ−１は、第２面Ｄ２を下に向けて、下からその順に積み重なる。そのため、排出トレイ２２から原稿束が取り出されたときに、原稿Ａ−１側から、原稿Ａ−１の第１面Ｄ１、原稿Ａ−２の第１面Ｄ１、原稿Ａ−３の第１面Ｄ１、原稿Ｂ−２の第２面Ｄ２および原稿Ｂ−１の第２面Ｄ２がこの順に並ぶことになる。
【０１１７】
そこで、排出トレイ２２から原稿束が取り出されたときに、原稿Ａ−１側から、原稿Ａ−１の第１面Ｄ１、原稿Ａ−２の第１面Ｄ１、原稿Ａ−３の第１面Ｄ１、原稿Ｂ−１の第２面Ｄ２および原稿Ｂ−２の第２面Ｄ２がこの順に並ぶように、排出トレイ２２上において、原稿Ｂ−２，Ｂ−１が並び替えられることが好ましい。その原稿Ｂ−２，Ｂ−１の並び替えの手法が図９Ａ〜図９Ｇに示されている。
【０１１８】
原稿Ａ−１，Ａ−２，Ａ−３の排出時には、図９Ａに示されるように、押し上げ部材１０６が非接触位置に配置されている。そのため、排出トレイ２２に排出される原稿Ａ−１，Ａ−２，Ａ−３は、押し上げ部材１０６と接触せずに、排出トレイ２２に受けられる。
【０１１９】
原稿Ａ−３の排出が完了すると、図９Ｂに示されるように、押し上げ部材１０６が非接触位置から接触位置に移動される。そのため、その後に排出トレイ２２に向けて排出される原稿Ｂ−２は、図９Ｃに示されるように、押し上げ部材１０６に乗り上がる。原稿Ｂ−２の排出方向下流側の先端が押し上げ部材１０６の先端を乗り越えると、原稿Ｂ−２の先端部が垂れ下がる。そして、原稿Ｂ−２の排出が進むと、図９Ｄに示されるように、原稿Ｂ−２は、その先端部が原稿Ａ−３上に着地し、排出方向上流側の後端部が押し上げ部材１０６上に残った状態で停止する。
【０１２０】
原稿Ｂ−２の後端が押し上げ部材１０６の先端よりも排出方向上流側に位置しているので、原稿Ｂ−１が排出トレイ２２に向けて排出されてくると、図９Ｅに示されるように、原稿Ｂ−１の先端は、原稿Ｂ−２と押し上げ部材１０６の先端との間に進入する。そして、原稿Ｂ−１は、原稿Ｂ−２を押し上げて、原稿Ｂ−２の下側に潜り込む。原稿Ｂ−１の排出が進むと、原稿Ｂ−１は、図９Ｆに示されるように、その先端部が原稿Ａ−３上に着地し、後端部が押し上げ部材１０６上に残った状態で停止する。
【０１２１】
その後、図９Ｇに示されるように、押し上げ部材１０６が接触位置から非接触位置に戻される。これにより、押し上げ部材１０６の移動に伴って、原稿Ｂ−１，Ｂ−２の各後端部が下がる。そして、押し上げ部材１０６が原稿Ｂ−１から離れると、原稿Ａ−３上には、原稿Ｂ−１，Ｂ−２が第２面Ｄ２を下に向けてこの順に積み重なる。その結果、原稿Ａ−１側から、原稿Ａ−１の第１面Ｄ１、原稿Ａ−２の第１面Ｄ１、原稿Ａ−３の第１面Ｄ１、原稿Ｂ−１の第２面Ｄ２および原稿Ｂ−２の第２面Ｄ２がこの順に並ぶ。
【０１２２】
＜変形例＞
以上、本発明の一実施形態について説明したが、本発明は、他の形態で実施することもできる。
【０１２３】
たとえば、前述の実施形態では、「処理１」がジョブのデータに含まれる画像データに係る画像をシートに形成する画像形成処理であり、「処理２」がジョブのデータに含まれる画像データをネットワークインタフェース５８から外部装置にＦＴＰ送信する送信処理であるとした。これに限らず、「処理１」が送信処理であり、「処理２」が画像形成処理であってもよい。
【０１２４】
「処理１」および「処理２」は、画像形成処理および送信処理に限らず、画像データをＵＳＢメモリに保存する処理であってもよいし、画像データを電子メールに添付して送信する処理であってもよい。
【０１２５】
また、前述の実施形態では、ＣＰＵ５４が各処理を実行する場合について説明した。しかしながら、ＡＳＩＣ５１が複数のＣＰＵを備え、複数のＣＰＵが協働して各処理を実行してもよい。
【０１２６】
その他、前述の構成には、特許請求の範囲に記載された事項の範囲で種々の設計変更を施すことが可能である。
【符号の説明】
【０１２７】
１，１０１：ＭＦＰ
１２：第１読取デバイス
３４：第２読取デバイス
４５：画像形成部
５１：ＡＳＩＣ
５４：ＣＰＵ
５６：表示部
５８：ネットワークインタフェース
５９：ＡＤＦ搬送部
Ａ−１，Ａ−２，Ａ−３，Ｂ−１，Ｂ−２，Ｃ−１，Ｃ−２，Ｃ−３：原稿
Ｄ１：第１面
Ｄ２：第２面
【図１】
2020036111.tif 000003
【図２】
2020036111.tif 000004
【図３Ａ】
2020036111.tif 000005
【図３Ｂ】
2020036111.tif 000006
【図３Ｃ】
2020036111.tif 000007
【図４】
2020036111.tif 000008
【図５】
2020036111.tif 000009
【図６】
2020036111.tif 000010
【図７】
2020036111.tif 000011
【図８Ａ】
2020036111.tif 000012
【図８Ｂ】
2020036111.tif 000013
【図９Ａ】
2020036111.tif 000014
【図９Ｂ】
2020036111.tif 000015
【図９Ｃ】
2020036111.tif 000016
【図９Ｄ】
2020036111.tif 000017
【図９Ｅ】
2020036111.tif 000018
【図９Ｆ】
2020036111.tif 000019
【図９Ｇ】
2020036111.tif 000020